【手続補正書】
【提出日】平成15年8月7日(2003.8.7)
【手続補正１】
【補正対象書類名】明細書
【補正対象項目名】全文
【補正方法】変更
【補正の内容】
【発明の名称】原稿移動型読取装置
【特許請求の範囲】
【請求項１】原稿ガイド板上からコンタクトガラスおよび原稿押さえローラの間に原稿を通過させ、コンタクトガラスの裏面に配置した画像読み取り部上を移動する原稿の画像を読み取る原稿移動型読取装置であって、原稿の被読み取り面との接触により前記原稿の清掃を行う原稿清掃部材を、前記原稿押さえローラよりも前記原稿の搬送方向上流であって前記原稿の被読み取り面側に設けた原稿移動型読取装置において、前記原稿清掃部材が原稿の被読み取り面に接触する板状体であり、前記板状体を前記原稿ガイド板と一体に形成したことを特徴とする原稿移動型読取装置。
【請求項２】前記板状体を回動する回動手段を設けて前記原稿と前記板状体との接触圧を変更することを特徴とする請求項１に記載の原稿移動型読取装置。
【請求項３】前記板状体が弾性部材であることを特徴とする請求項１または２に記載の原稿移動型読取装置。
【請求項４】原稿清掃部材が原稿の被読み取り面に回転しながら接触する回転体であり、前記回転体に当接し前記回転体に静電力を印加する帯電ローラを設けたことを特徴とする請求項１に記載の原稿移動型読取装置。
【請求項５】前記回転体に当接し静電力によって前記回転体から付着物を取り除くクリーニングローラを設けたことを特徴とする請求項４に記載の原稿移動型読取装置。
【請求項６】原稿の通過を検出するセンサを設け、前記センサにより前記原稿の通過がないことを検出した際にクリーニングローラを除電することを特徴とする請求項５に記載の原稿移動型読取装置。
【発明の詳細な説明】
【０００１】
【発明の属する技術分野】
本発明は、画像読み取り部上を原稿が移動する原稿移動型読取装置に関する。
【０００２】
【従来の技術】
従来、工業用複写機においては原稿が大きいため、装置の小型化のため原稿固定型読み取り装置よりも原稿移動型読取装置が用いられている。原稿移動型読取装置の代表的な形式としては、画像面を下側にして原稿を搬送して、画像読み取り部（以下、ＣＣＤという）上の原稿押さえローラとコンタクトガラスの間の隙間を通過させることで原稿の画像を読み取る方式がある。
【０００３】
このような原稿移動型読取装置においては、原稿が原稿押さえローラとコンタクトガラスの間の隙間を通過する際、画像面側に付いた付着物をコンタクトガラス上に付着させることがある。この付着物がちょうどＣＣＤの読み込み位置上に付着すると、原稿読み取りの際に常に画像上に現れる。このため、付着物がたとえ微少な粒状であっても、コピー画像には搬送方向全体につながる線、いわゆる黒スジとして現れ、画像に忠実な読み込みを行うことができない。
【０００４】
そこで、特開平３−３１１２７号公報に開示されているように、原稿搬送ローラと接触する位置に、原稿表面と接触してその清掃を行う原稿清掃部材を設け、この原稿清掃部材と原稿搬送ローラとに挟まれた状態で原稿を搬送させることにより、原稿を清掃する方法が考えられている。
【０００５】
また、特開昭５６−４１５９号公報、特開昭５６−５５６３号公報、特開昭５６−６２６２号公報および特開昭５６−４０８４５号公報には、原稿固定型読取装置において、コンタクトガラスへの付着物を無くすことを目的として、除塵手段を作用させてコンタクトガラスを除電する方法が開示されている。これらの方法から、除電部材を原稿清掃部材に置き換えることでコンタクトガラスを清掃する方法が容易に考えられる。
【０００６】
【発明が解決しようとする課題】
しかし、特開平３−３１１２７号公報に記載された発明では、原稿搬送ローラと接触する位置に原稿清掃部材を設けているため、原稿の厚さにより原稿清掃部材の接触圧が変化し、工業用複写機において良く用いられる鉛筆で描かれた画像では、画像こすれが生じてしまう可能性がある。
【０００７】
また、特開昭５６−４１５９号公報、特開昭５６−５５６３号公報、特開昭５６−６２６２号公報および特開昭５６−４０８４５号公報の発明では、コンタクトガラスの全面を除塵すべく、原稿固定型読取装置のＣＣＤを動かすための可動部を用いて除電部材を動かしている。しかし、原稿移動型読取装置はＣＣＤを動かすための可動部を有しないため、別途、コンタクトガラス清掃手段を移動させる手段が設ける必要とがあり、装置が複雑となる。
【０００８】
本発明の目的は、鉛筆で描かれた画像であっても原稿の厚さが変化した場合であっても、画像こすれを生じることを、簡単な構造で防止できる原稿移動型読取装置を提供することである。
【０００９】
【課題を解決するための手段】
請求項１に記載の発明は、原稿ガイド板上からコンタクトガラスおよび原稿押さえローラの間に原稿を通過させ、コンタクトガラスの裏面に配置した画像読み取り部上を移動する原稿の画像を読み取る原稿移動型読取装置であって、原稿の被読み取り面との接触により前記原稿の清掃を行う原稿清掃部材を、前記原稿押さえローラよりも前記原稿の搬送方向上流であって前記原稿の被読み取り面側に設けた原稿移動型読取装置において、前記原稿清掃部材が原稿の被読み取り面に接触する板状体であり、前記板状体を前記原稿ガイド板と一体に形成したことを特徴とする。
請求項２に記載の発明は、請求項１に記載の発明において、前記板状体を回動する回動手段を設けて前記原稿と前記板状体との接触圧を変更することを特徴とする。
請求項３に記載の発明は、請求項１または２に記載の発明において、前記板状体が弾性部材であることを特徴とする。
請求項４に記載の発明は、請求項１に記載の発明において、原稿清掃部材が原稿の被読み取り面に回転しながら接触する回転体であり、前記回転体に当接し前記回転体に静電力を印加する帯電ローラを設けたことを特徴とする。
請求項５に記載の発明は、請求項４に記載の発明において、前記回転体に当接し静電力によって前記回転体から付着物を取り除くクリーニングローラを設けたことを特徴とする。
請求項６に記載の発明は、請求項５に記載の発明において、原稿の通過を検出するセンサを設け、前記センサにより前記原稿の通過がないことを検出した際にクリーニングローラを除電することを特徴とする。
【００１０】
【発明の実施の形態】
以下、図１ないし図１２において本発明の実施形態の詳細を説明する。なお、図１は本発明の原稿移動型読取装置の第１実施形態を示す配置図であり、図２は本発明の第１実施形態に係る原稿移動型読取装置の要部を示す斜視図であり、図３は本発明の第１実施形態に係る原稿移動型読取装置の要部を示す配置図であり、図４は本発明の第２実施形態に係る原稿移動型読取装置の要部を示す配置図であり、図５は本発明の第３実施形態に係る原稿移動型読取装置の要部を示す斜視図である。図６は本発明の第４実施形態に係る原稿読取装置を示す配置図であり、図７は本発明の第４実施形態に係る原稿移動型読取装置の要部を示す斜視図であり、図８は図６に示す原稿移動型読取装置の清掃ブラシの近傍を示す断面図であり、図９は図６に示す原稿移動型読取装置の清掃ブラシの駆動系を示す斜視図であり、図１０は本発明の第５実施形態に係る原稿移動型読取装置の要部を示す配置図であり、図１１は本発明の第５実施形態に係る原稿移動型読取装置の要部を示す配置図であり、図１２は本発明の第６実施形態に係る原稿移動型読取装置の要部を示す配置図である。
【００１１】
図１に示す第１実施形態に係る原稿移動型読取装置１０は、原稿がその主面上を搬送されるコンタクトガラス２を備える。このコンタクトガラス２の裏面側には、画像読み取り部（ＣＣＤ）３を配置している。また、コンタクトガラス２の主面側には、画像読み取り部３に対向して原稿押さえローラ１を配置する。原稿押さえローラ１とコンタクトガラス２との間には、原稿が挟持される隙間を設けている。
【００１２】
原稿押さえローラ１の図１に示す矢印Ａで示す原稿搬送方向の上流側に、原稿押さえローラ１とコンタクトガラス２との間に原稿を導入するための上下一対の搬送ガイド板（原稿ガイド板）４，６を設けている。搬送ガイド板４，６には、原稿を挟持し、搬送する搬送ローラ対５ａ，５ｂを設けている。
【００１３】
一方、原稿押さえローラ１の原稿搬送方向の下流側に、原稿押さえローラ１とコンタクトガラス２との間から排紙された原稿を導出するための上下一対の排紙ガイド板７ａ，７ｂを設けている。排紙ガイド７ａ，７ｂには、原稿を狭持して搬送する排紙ローラ対８ａ，８ｂを設けている。
【００１４】
上述の搬送ガイド板４，６のうち下側の搬送ガイド板６には、図２、３に示すように、原稿清掃部材６ａおよび清掃穴６ｂを設けている。原稿清掃部材６ａは板状体であって、原稿搬送方向Ａに対してほぼ直交する方向に沿って延出し、かつ、搬送ガイド６の表面から原稿の画像面（被読み取り面）側に向かって若干突出している。一方、清掃穴６ｂは、この原稿清掃部材６ａに沿った略長方形状であり、その幅を最大通紙許容幅よりも大きく設定してある。
【００１５】
また、図３に示されるように、原稿清掃部材６ａの位置は、原稿１１が搬送ローラ対５ａ、５ｂ間および原稿押さえローラ１とコンタクトガラス２との間にそれぞれ挟持された状態のときに、原稿１１の画像面に画像こすれを生じない位置としている。このとき原稿１１の垂直方向位置は、搬送ローラ対５ａ、５ｂ、原稿押さえローラ１の周速によって決定されるため、原稿１１の厚さに関わらず、常にほぼ一定の位置となる。
【００１６】
次に、第１実施形態に係る原稿移動型読取装置１０の基本動作を図１に基づいて説明する。画像情報を持った原稿１１を、画像面を下側にして方向Ａより原稿移動型読取装置１０内に挿入する。原稿１１を、搬送ローラ対５ａ、５ｂに挟持し、搬送ガイド板４、６間で搬送する。原稿１１の先端が原稿押さえローラ１とコンタクトガラス２に到達したら、ＣＣＤ３により画像情報の読み取りを開始する。その後、排紙ローラ対８ａ、８ｂに挟持し、排紙ガイド板７ａ、７ｂ間を搬送して原稿を装置外に排出することにより、読み取り動作を終了する。
【００１７】
上述の基本動作において、原稿１１の画像面に付着物（ゴミ）が付いている場合、原稿が搬送ガイド板６に一体化している原稿清掃部材６ａと接触して、表面に付いた付着物が落ちる。付着物は清掃穴６ｂより、図示しないゴミ受けに落下する。このとき、原稿清掃部材６ａが原稿押さえローラ１等と接触しないため、原稿１１の厚さが変化しても原稿１１と原稿清掃部材６ａとの接触圧がほとんど変化せず、鉛筆で描かれた画像においても付着物を取り除きかつ画像こすれを無くすことができる。
【００１８】
次に、図４に基づいて第２実施形態について説明する。なお、図４中、第１実施形態と同じ構成については同一番号を付し、説明を省略する。
【００１９】
第２実施形態に係る原稿移動型読取装置２０では、搬送ガイド６側に設けた原稿清掃部２１を、原稿清掃部材２２と、この原稿清掃部材２２が取り付けられた回動軸２３と、この回動軸２３に接続されたステッピングモータと、このステッピングモータを制御する制御部と、で構成する。
【００２０】
この第２実施形態に係る原稿移動型読取装置２０によれば、別手段により原稿の種類が入力されると、制御部より信号を出力し、ステッピングモータにより回動軸２３を回動する。原稿清掃部材２２は回動軸２３の回動と共に動き、あらかじめ設定された画像こすれが起きずかつ付着物を取る位置で停止する。すなわち、原稿清掃部材２２を回転させることにより、原稿清掃部材２２の原稿側への突出量を変化する。これにより、原稿の種類によって原稿と原稿清掃部材２２との接触圧を変更することができ、第１実施形態より多くの種類の原稿において付着物を取り除きかつ画像こすれを無くすことができる。
【００２１】
次に、図５に基づいて第３実施形態について説明する。第３実施形態に係る原稿移動型読取装置３０は、第２実施形態に係る原稿移動型読取装置２０で原稿清掃部２１の原稿清掃部材２２を例えばゴムのような弾性体で構成したものである。従って、原稿の位置が多少ばらついても、弾性体の弾性力により、原稿清掃部材２２と原稿との接触圧がほぼ同じとなり、画像こすれを起こさない。よって、第２実施形態に比べて、原稿の一部が薄い場合、一部のみ画像こすれが起きやすい部分がある場合、および、原稿の種類が入力された種類と違った場合などに有効である。
【００２２】
次に、図６〜９に基づいて第４実施形態について説明する。なお、図中、第１実施形態と同じ構成については同一番号を付し、説明を省略する。
【００２３】
第４実施形態に係る原稿移動型読取装置４０では、清掃ブラシ４１を、搬送ガイド板６に設けられた清掃ブラシ穴４２から原稿搬送面側にその一部が突出するようにして配置している。この清掃ブラシ４１の幅は最大通紙許容幅よりも大きく設定している。
【００２４】
清掃ブラシ４１は、図８に示すように、原稿移動型読取装置４０の側板４３ａ、４３ｂによって保持し、清掃ブラシ４１の一方の端部に駆動プーリ４４を接続している。この駆動プーリ４４を、図９に示すように、搬送ローラ５ｂの端部に接続した駆動プーリ４５からタイミングベルト４６を介して駆動を伝達している。ここで、駆動を伝達する手段としてタイミングベルト４６を用いたが、ギヤ対を使用しても同等の効果が得られる。
【００２５】
そして、清掃ブラシ４１に当接するようにして帯電ローラ４７を設けている。この帯電ローラ４７は、清掃ブラシ４１の回転によって互いに擦れあい、静電気力を清掃ブラシ４１に印加する。
【００２６】
上記構成からなる第４実施形態に係る原稿移動型読取装置４０の基本動作を図６に基づいて説明する。画像情報を持った原稿を、画像側を下側にして原稿搬送方向Ａより原稿移動型読取装置４０内に挿入する。原稿は、搬送ローラ対５ａ、５ｂに挟持し、搬送ガイド板４、６間を搬送する。原稿１１の先端が、原稿押さえローラ１とコンタクトガラス２に到達すると、ＣＣＤ３により画像情報の読み取りを開始する。その後、原稿を排紙ローラ対８ａ、８ｂで挟持し、排紙ガイド板７ａ、７ｂ間を搬送し、原稿を装置外に排出して、読み取り動作を終了する。
【００２７】
上述の基本動作において、原稿の画像面に付着物が付いている場合、この画像面に清掃ブラシ４１が回転しながら接触して付着物を掻き取る。清掃ブラシ４１は、原稿押さえローラ１よりも原稿搬送方向Ａの上流に設けてあるため、原稿の厚さにより原稿と清掃ブラシとの接触圧が変化し難いので、原稿こすれを生じることなく付着物を取ることができる。
【００２８】
また、原稿が清掃ブラシ４１と接触した際に掻き取られた付着物は、帯電ローラ４７より印加した静電気力により清掃ブラシ４１に移動する。第１から第３実施形態に係る原稿移動型読取装置１０，２０，３０では、板状体からなる原稿清掃部材６ａが原稿から取り除いた付着物は、主に清掃穴６ｂから自重により落下するが、自重の軽い付着物は清掃穴６ｂにうまく落ちず周りに散らばり散らばり再び原稿に付着する場合があり、コンタクトガラス２へ搬送されて黒スジが発生するおそれがある。しかし、第４実施形態に係る原稿移動型読取装置４０では、上述の通り、付着物は静電気力により清掃ブラシ４１に移動するため、付着物が原稿に再び付着することなく黒スジの発生を防止できる。
【００２９】
次に、図１０および図１１に基づいて本発明の第５実施形態に係る原稿移動型読取装置５０について説明する。原稿移動型読取装置５０は、第４実施形態に係る原稿移動型読取装置４０において、清掃ブラシ４１に当接するようにしてクリーニングローラ５１を設けている。ここでクリーニングローラ５１は、原稿搬送方向Ａに対して清掃ブラシ４１が順回転する場合には、図１０に示すように、帯電ローラ４７よりも原稿搬送方向Ａの下流側である範囲Ｂの間に配置する。一方、原稿搬送方向Ａに対して清掃ブラシ４１が逆回転する場合には、図１１に示すように、帯電ローラ４７よりも原稿搬送方向Ａの下流側である範囲Ｃの間に配置する。このようなクリーニングローラ５１の配置により、クリーニングローラ５１は、帯電ローラ４７よりも清掃ブラシ４１の回転方向の上流に位置する。クリーニングローラ５１に帯電装置５２を接続し、清掃ブラシ４１の静電気力よりも大きい静電気力を印加するように構成している。
【００３０】
以上のような構成からなる原稿移動型読取装置５０では、清掃ブラシ４１に、製造ブラシ４１よりも大きな静電気力が印加されたクリーニングブラシ５１を当接しているので、清掃ブラシ４１に付着した付着物を取り除くことができる。これにより、清掃ブラシ４１は常に付着物の付着のない状態で原稿と接触するため、付着物が再び原稿に付着し、すなわち付着物の逆流が生じて原稿に黒スジが発生するのを防止できる。
【００３１】
また、上述の通り、クリーニングローラ５１は、帯電ローラ４７よりも清掃ブラシ４１の回転方向の上流に位置するので、帯電ローラ４７への付着物の付着を防止できる。
【００３２】
次に、図１２に基づいて、本発明の第６実施形態に係る原稿移動型読取装置６０について説明する。この原稿移動型読取装置６０では、清掃ブラシ４１よりも原稿搬送方向Ａの上流であって、搬送ガイド板６の下方に原稿検知センサ６１を設け、この搬送ガイド板６に、原稿検知センサ６１に対応してスリット６ｃを形成し、搬送ガイド板６上での原稿１１の有無を検知するようになっている。原稿検知センサ６１は、その検知信号を伝達するように制御部６２に接続され、さらに制御部６２は、制御信号を伝達するように帯電装置５２に接続している。この例では、原稿検知センサ６２は搬送ガイド板６の下方に設けているが、搬送ガイド板６の上方に設けても同等の効果が得られる。
【００３３】
上述の構成からなる原稿移動型読取装置６０では、原稿検知センサ６１は、原稿１１有りを検知した場合その検知信号を制御部６２に入力し、制御部６２は、帯電装置５２に制御信号を出力し、クリーニングローラ５１に清掃ブラシ４１の静電気力よりも大きい静電気力を印加する。これにより、清掃ブラシ４１に付着した付着物を取り除く。
【００３４】
次に、原稿検知センサ６１は、原稿１１無しを検知した場合その検知信号を制御部６２に入力し、制御部６２は、帯電装置５２に制御信号を出力し、クリーニングローラ６１の静電気力を除去する。これにより、クリーニングローラ６１の付着物は下方に落下するので、クリーニングローラ６１から付着物を取り除き、付着物が再び清掃ブラシ４１を介して原稿１１に付着する、いわゆる付着物の逆流を防止することができる。
【００３５】
本発明は上述した実施形態に限定されず、本発明の要旨を逸脱しない範囲で種々の変更が可能である。例えば、第１実施形態に係る原稿移動型読取装置１０において、原稿清掃部材６ａを第３実施形態と同様に弾性体で構成させても良い。
【００３６】
【発明の効果】
以上説明したように、請求項１に記載の発明によれば、原稿清掃部材は原稿押さえローラよりも原稿の搬送方向上流に位置しているので、原稿の厚さによって原稿清掃部材と原稿との接触圧が変化し難い。このため、鉛筆等で描かれた画像で画像こすれが生じるのを防止できる。
【００３７】
さらに、請求項１に記載の発明によれば、原稿清掃部材が板状体で原稿ガイド板と一体に形成しているので、、簡単な構造で、原稿と原稿清掃部材との接触圧が原稿の厚さによらず、鉛筆で描かれた画像においても付着物を取り除きかつ画像こすれを無くすことができる。
【００３８】
請求項２に記載の発明によれば、板状体を回動する回動手段を設けているので、原稿の厚さが変わった場合に、回動手段により板状体を回動することにより、原稿の種類によって原稿と原稿清浄部材との接触圧を変更することができ、多くの種類の原稿においても付着物を取り除きかつ画像こすれを無くすことができる。
【００３９】
請求項３に記載の発明によれば、原稿清掃部材が弾性部材からなるので、原稿の一部のみ原稿と原稿清掃部材との接触圧を変化させたいときにも対応できる。
【００４０】
請求項４に記載の発明によれば、原稿清掃部材を回転体とし、この回転体に静電力を印加する帯電ローラを設けているので、回転体が原稿から掻き取った付着物が回転体に移動し、付着物が散らばり原稿に再付着するのを抑え、原稿に黒スジが発生するのを防止できる。
【００４１】
請求項５に記載の発明によれば、クリーニングローラを設けたことにより、回転体に付着した付着物をクリーニングローラで取り除き、回転体から原稿に再び付着物が付着するのが抑えられるので、原稿に黒スジが発生するのを防止できる。
【００４２】
請求項６に記載の発明によれば、原稿の通過の有無を検出するセンサを設け、原稿の通過がないときにクリーニングローラを除電するので、クリーニングローラに付着した付着物を取り除き、付着物の逆流を防止し、原稿に黒スジが発生するのを防止できる。
【図面の簡単な説明】
【図１】本発明の原稿移動型読取装置の第１実施形態を示す配置図である。
【図２】本発明の第１実施形態に係る原稿移動型読取装置の要部を示す斜視図である。
【図３】本発明の第１実施形態に係る原稿移動型読取装置の要部を示す配置図である。
【図４】本発明の第２実施形態に係る原稿移動型読取装置の要部を示す配置図である。
【図５】本発明の第３実施形態に係る原稿移動型読み取り装置の要部を示す斜視図である。
【図６】本発明の第４実施形態に係る原稿読取装置を示す配置図である。
【図７】本発明の第４実施形態に係る原稿移動型読取装置の要部を示す斜視図である。
【図８】図６に示す原稿移動型読取装置の清掃ブラシの近傍を示す断面図である。
【図９】図６に示す原稿移動型読取装置の清掃ブラシの駆動系を示す斜視図である。
【図１０】本発明の第５実施形態に係る原稿移動型読取装置の要部を示す配置図である。
【図１１】本発明の第５実施形態に係る原稿移動型読取装置の要部を示す配置図である。
【図１２】本発明の第６実施形態に係る原稿移動型読取装置の要部を示す配置図である。
【符号の説明】
１    原稿押さえローラ
２    コンタクトガラス
３    画像読み取り部
４、６  搬送ガイド板（原稿ガイド板）
５ａ、５ｂ  搬送ローラ対
６ａ    原稿清掃部材
６ｂ    清掃穴
７ａ、７ｂ  排紙ガイド板
８ａ、８ｂ  排紙ローラ対
１０、２０、３０、４０、５０、６０  原稿移動型読取装置
２１    原稿清掃部
２２    原稿清掃部材
２３    回動軸（回動手段）
４１    清掃ブラシ
４２    清掃ブラシ穴
４３ａ、４３ｂ    側板
４４、４５  駆動プーリ
４６    タイミングベルト
４７    帯電ローラ
５１    クリーニングローラ
５２    帯電装置
６１    原稿検知センサ
６２    制御部